(57)【要約】      （修正有）【課題】使用者がメモリバックアップ用電池を電気的接続状態にしないで盤取付用機器を稼動させると、盤取付用機器に電力を供給する外部電源が停電した場合にメモリバックアップ用電池の電力が機器に供給されず、メモリなどの記憶手段に必要なデータを記憶させることができない。【解決手段】盤の嵌挿孔に嵌挿される筐体と、筐体に収納され外部電源から供給された電力によって機器の機能動作を行なう主回路と、筐体に収納され主回路が扱うデータを記憶する記憶手段と、外部電源から主回路に供給される電力が停止したときに記憶手段に電力を供給する電池と、電池から主回路への電力を供給または遮断させる開閉手段とを備えた盤取付用機器において、筐体が嵌挿孔に嵌挿された時に自己保持スイッチによって電力が供給されるようにした。【選択図】        図１
2004171985.tif 000002
【特許請求の範囲】
【請求項１】
盤の嵌挿孔に嵌挿される筐体と、
この筐体に収納され外部電源から供給された電力によって機器の機能動作を行なう主回路と、
前記筐体に収納され前記主回路が扱うデータを記憶する記憶手段と、
前記外部電源から前記主回路に供給される電力が停止したときに前記記憶手段に電力を供給する電池と、
この電池から前記主回路への電力を供給または遮断させる開閉手段と、を備えた盤取付用機器において、
前記開閉手段は、前記筐体が前記嵌挿孔に嵌挿された時に応動する応動部材と、この応動部材に係合して電力を供給状態に保持する自己保持スイッチとを備えたことを特徴とする盤取付用機器。
【請求項２】
応動部材を応動不能にロックさせるロック部材を備えたことを特徴とする請求項１記載の盤取付用機器。
【請求項３】
自己保持スイッチを開路状態にリセットさせるリセット孔を応動部材に配設したことを特徴とする請求項１記載の盤取付用機器。
【請求項４】
盤の嵌挿孔に嵌挿される筐体と、
この筐体に収納され外部電源から供給された電力によって機器の機能動作を行なう主回路と、
前記筐体に収納され前記主回路が扱うデータを記憶する記憶手段と、
前記外部電源から前記主回路に供給される電力が停止したときに前記記憶手段に電力を供給する電池と、
この電池から前記主回路への電力を供給または遮断させる開閉手段と、を備えた盤取付用機器において、
前記開閉手段は、前記筐体が前記嵌挿孔に嵌挿された時に応動する応動部材と、この応動部材に係合しているときに電力を供給状態にする自己復帰スイッチとを備えたことを特徴とする盤取付用機器。
【請求項５】
盤の嵌挿孔に嵌挿される筐体と、
この筐体に収納され外部電源から供給された電力によって機器の機能動作を行なう主回路と、
前記筐体に収納され前記主回路が扱うデータを記憶する記憶手段と、
前記外部電源から前記主回路に供給される電力が停止したときに前記記憶手段に電力を供給する電池と、
この電池から前記主回路への電力を供給または遮断させる開閉手段と、を備えた盤取付用機器において、
前記開閉手段は、前記筐体の前記嵌挿孔への嵌挿および引出しに応動する応動部材と、
この応動部材に係合して嵌挿時に電力を供給状態に保持し、引出し時に電力を遮断状態に保持するオルタネイトスイッチとを備えたことを特徴とする盤取付用機器。
【請求項６】
筐体を熱可塑性成形品で形成させ応動部材を前記筐体に一体的にしたことを特徴とする請求項１から請求項５のいずれか１項に記載の盤取付用機器。
【発明の詳細な説明】
【０００１】
【発明の属する技術分野】
この発明は、盤等へ取付けて使用する盤取付用機器に関し、特に盤取付用機器が内蔵するメモリバックアップ用電池の無駄な消費を防止するスイッチ装置に係わるものである。
【０００２】
【従来の技術】
従来の盤取付用機器においては、出荷時から使用者の実使用時までにメモリバックアップ用電池が無駄な消耗を生じないような形態で取付ける必要があり、出荷時に例えば、ポリエステルフイルムからなる絶縁シートを電池と端子間に介在させ電気的非接続状態に接触させておいて、使用者が使用に際して、外部導出している絶縁シートを引き抜いて電池を電気的接続状態にして電気回路を閉成させるようにしている。（例えば、特許文献１の図６参照。）
【０００３】
【特許文献１】
特開平０５−０２１０５３号公報。
【０００４】
【発明が解決しようとする課題】
従来の盤用機器のスイッチ装置は以上のように構成されているので、使用者が絶縁シートを引き抜かない状態で盤取付用機器を稼動させると、機器に電力を供給する外部電源が停電した場合にメモリバックアップ用電池の電力が機器に供給されず、メモリなどの記憶手段に必要なデータを記憶させることができないという課題があった。
【０００５】
この発明は、上記のような課題を解決するためになされたものであり、使用者が意識してメモリバックアップ用電池を電気的接続状態にすることなくメモリバックアップ用電池の電力を機器に供給し、必要なデータを記憶させることができる盤取付用機器を得ることを目的とするものである。
【０００６】
【課題を解決するための手段】
この発明に係る盤取付用機器は、盤の嵌挿孔に嵌挿される筐体と、この筐体に収納され外部電源から供給された電力によって機器の主要機能動作を行なう主回路と、筐体に収納され主回路が扱うデータを記憶する記憶手段と、外部電源から主回路に供給される電力が停止したときに記憶手段に電力を供給する電池と、この電池から主回路への電力を供給または遮断させる開閉手段と、を備えた盤取付用機器において、開閉手段は、筐体が嵌挿孔に嵌挿された時に応動する応動部材と、この応動部材に係合して電力を供給状態に保持する自己保持スイッチとを備えたものである。
【０００７】
【発明の実施の形態】
実施の形態１．
図１は、この発明の実施の形態１による盤取付用機器の盤取付前の一部断面正面図、図２は、図１の盤取付用機器の電気回路図、図３は、この発明の実施の形態１による盤取付用機器の盤取付後の一部断面正面図である。
【０００８】
図１及び２において、盤取付用機器１は、盤取付用機器１を装着する盤３の嵌挿孔３ａに嵌挿される筐体４と、この筐体４に収納され外部電源５から供給された交流電圧を直流電圧に変換する電源回路６と、この電源回路６から出力された電力によって盤取付用機器１の主要機能動作である、例えば、外部電源５の電圧の計測や図示しない計測機器の開閉制御を行なうタイムスイッチ機能を行なう主回路７と、筐体１に収納され主回路７が扱うデータを記憶する、例えば、メモリである記憶手段７ａと、外部電源５から電源回路６を介して主回路７に供給される電力が停止したときに記憶手段７ａに電力を供給する電池８と、この電池８から主回路７への電力を供給または遮断させる開閉手段９と、電源回路６から主回路７へ、また、電池８へ主回路７からの電力の逆流を防止するダイオード１０、１１を備えている。
【０００９】
開閉手段９は、スイッチレバー１２ａを押圧すると接点が閉路状態に保持される自己保持型のスイッチである自己保持スイッチ１２及び自己保持スイッチ１２の接点を開閉させるスイッチレバー１２ａに係合した応動部材であるレバー４ａにより形成されている。
なお、レバー４ａは筐体４と別部材で形成させても良いが、筐体４をＡＢＳ樹脂などの熱可塑性成形品により形成させ、その一部として一体的に形成（図４に示す）させると、大幅なコストダウンを図ることができる。
【００１０】
次に、上記のように構成されたこの発明の実施の形態１による盤取付用機器を盤に装着するときの動作について説明する。
盤取付用機器１を盤３の嵌挿孔３ａに矢印Ａ方向に嵌挿させると、嵌挿孔３ａの内面３ｂに筐体４のレバー４ａが係合を開始する。更に押し込むと、レバー４ａが矢印Ｂ方向に変位し、レバー４ａの先端部４ｂがスイッチレバー１２ａを押圧する。
【００１１】
スイッチレバー１２ａが押圧されると、スイッチレバー１２ａは回動軸１２ｂを支点として矢印Ｃ方向に回動し、自己保持スイッチ１２の接点が閉路する。自己保持スイッチ１２の接点が閉路すると、電池８からダイオード１１を介して主回路７に電力が供給される。
【００１２】
以上のように構成されたこの発明の実施の形態１による盤取付用機器１は、盤取付用機器１を盤３に装着すると、盤取付用機器１を扱う使用者が意識して電池８を電気的接続状態にすることなく、電池８から盤取付用機器１に電力が供給されるので、盤取付用機器１に電力を供給する外部電源５が停電した場合において、主回路７が扱うデータを記憶手段７ａに必要なデータをメモリ７ａに記憶させることができる。
【００１３】
実施の形態２．
図４は，この発明の実施の形態２による盤取付用機器の外観斜視図である。
上述した実施の形態１を構成する自己保持スイッチ１２は、自己保持型のスイッチであり、一度、盤取付用機器１を盤３に装着すると自己保持スイッチ１２の接点が閉路状態に保持され、盤取付用機器１を盤３から取り出しても閉路状態のままになってしまうという問題があった。本実施例はこの問題に対応したものである。
【００１４】
図において、筐体４の外周部にはレバー４ａが変位しないようにロック部材であるレバーロック１３がレバー４ａに装着されており、このレバーロック１３を除去しないと使用者は，盤取付用機器１を盤３に装着することができないため、使用者が盤取付用機器１を盤３に装着する場合、必ずレバーロック１３を除去する必要があり、誤装着を防止することができる。
また、レバー４ａにはリセット孔４ｃが配設されており、誤って、盤取付用機器１を盤３に装着した場合には、リセット孔４ｃに、例えば、小ドライバーを挿入してスイッチレバー１２ａを押圧することにより、自己保持スイッチ１２の接点を開路状態に復帰させることができる。
【００１５】
実施の形態３．
図５（ａ）は、この発明の実施の形態３による盤取付用機器の盤取付前の一部断面正面図、図５（ｂ）は、この発明の実施の形態３による盤取付用機器の盤取付後の一部断面正面図である。
【００１６】
図において、開閉手段９０は、スイッチレバー１４ａを押圧した時は接点が閉路状態に保持され、押圧していない時は接点が開路状態に保持される自己復帰型スイッチである自己復帰スイッチ１４及び自己復帰スイッチ１４の接点を開閉させるスイッチレバー１４ａに係合した応動部材であるレバー４ａにより形成されている。上記以外の構成及び電気回路図については実施の形態１に記載のものと同様である。
【００１７】
次に、上記のように構成されたこの発明の実施の形態３による盤取付用機器を盤に装着するときの動作について説明する。
盤取付用機器１を盤３の嵌挿孔３ａに矢印Ｄ方向に嵌挿させると、嵌挿孔３ａの内面３ｂに筐体４のレバー４ａが係合し、盤取付用機器１の装着状態では内面３ｂによってレバー４ａが矢印Ｅ方向に変位し、レバー４ａの先端部４ｂがスイッチレバー１４ａを押圧する。
【００１８】
スイッチレバー１４ａが押圧されると、自己復帰スイッチ１４の接点が閉路し、電池からダイオードを介して主回路に電力が供給される。
次に、取付用機器１を盤３から取り出すと、内面３ｂとレバー４ａとの係合が解除されスイッチレバー１４ａが図示しない復帰ばねによって押戻され、自己復帰スイッチ１４の接点が開路し、電池８から主回路７への電力供給は遮断される。
【００１９】
以上のように構成されたこの発明の実施の形態３による盤取付用機器１は、盤取付用機器１を盤３に装着すると、盤取付用機器１を扱う使用者が意識して電池を電気的接続状態にすることなく、電池から盤取付用機器１に電力が供給されるので、盤取付用機器１に電力を供給する外部電源５が停電した場合において、主回路７が扱うデータを記憶手段７ａに必要なデータを記憶させることができる。
【００２０】
実施の形態４．
図６（ａ）は、この発明の実施の形態４による盤取付用機器の盤取付前の一部断面正面図、図６（ｂ）は、この発明の実施の形態４による盤取付用機器の盤取付後の一部断面正面図である。
【００２１】
図において、開閉手段９１は、スイッチレバー１５ａを押圧すると、接点が閉路状態になり、手を離しても接点はそのままの状態に保持され、次に、スイッチレバー１５ａを再度押圧することにより接点が開路状態に戻る機能を有するオルタネイトスイッチ１５及びオルタネイトスイッチ１５の接点を開閉させるスイッチレバー１５ａに係合した応動部材であるレバー４ａにより形成されている。上記以外の構成及び電気回路図については実施の形態１に記載のものと同様である。
【００２２】
次に、上記のように構成されたこの発明の実施の形態４による盤取付用機器を盤に装着するときの動作について説明する。
盤取付用機器１を盤３の嵌挿孔３ａに矢印Ｆ方向に嵌挿させると、嵌挿孔３ａの内面３ｂに筐体４のレバー４ａが係合を開始する。更に押し込むと、レバー４ａが矢印Ｇ方向に変位し、レバー４ａの先端部４ｂがスイッチレバー１５ａを押圧する。
【００２３】
スイッチレバー１２ａが押圧されると、オルタネイトスイッチ１５の接点が閉路すると共に閉路状態で保持され、電池８からダイオード１１を介して主回路７に電力が供給される。
【００２４】
次に、取付用機器１を盤３から取り出す（矢印Ｈ方向）と、嵌挿孔３ａの内面３ｂに筐体４のレバー４ａが係合を開始する。更に引出すと、レバー４ａが矢印Ｇ方向に変位し、レバー４ａの先端部４ｂがスイッチレバー１５ａを押圧し、オルタネイトスイッチ１５の接点が開路し、電池８から主回路７への電力供給は遮断される
【００２５】
以上のように構成されたこの発明の実施の形態４による盤取付用機器１は、盤取付用機器１を盤３に装着すると、盤取付用機器１を扱う使用者が意識して電池を電気的接続状態にすることなく、電池から盤取付用機器１に電力が供給されるので、盤取付用機器１に電力を供給する外部電源５が停電した場合において、主回路７が扱うデータを記憶手段７ａに必要なデータを記憶させることができる。
また、開閉手段をオルタネイトスイッチ１５で構成させたので、盤取付用機器１を盤３に誤装着した場合、盤取付用機器１を盤３から引出すと接点が開路状態に戻るので、盤取付用機器１の装着に対する気遣いが不要である。
【００２６】
【発明の効果】
以上のようにこの発明によれば、盤の嵌挿孔に嵌挿される筐体と、この筐体に収納され外部電源から供給された電力によって機器の主要機能動作を行なう主回路と、筐体に収納され主回路が扱うデータを記憶する記憶手段と、外部電源から主回路に供給される電力が停止したときに記憶手段に電力を供給する電池と、この電池から主回路への電力を供給または遮断させる開閉手段と、を備えた盤取付用機器において、開閉手段は、筐体が嵌挿孔に嵌挿された時に応動する応動部材と、この応動部材に係合して電力を供給状態にする自己復帰スイッチとを備えたので、盤取付用機器を盤に装着すると、盤取付用機器を扱う使用者が意識して電池を電気的接続状態にすることなく、電池から盤取付用機器に電力が供給されるので、盤取付用機器に電力を供給する外部電源５が停電した場合において、主回路が扱うデータを記憶手段に必要なデータを記憶させることができる。
【図面の簡単な説明】
【図１】この発明の実施の形態１による盤取付用機器の盤取付前の一部断面正面図である。
【図２】図１の盤取付用機器の電気回路図である。
【図３】この発明の実施の形態１による盤取付用機器の盤取付後の一部断面正面図である。
【図４】この発明の実施の形態２による盤取付用機器の外観斜視図である。である。
【図５】（ａ）は、この発明の実施の形態３による盤取付用機器の盤取付前の一部断面正面図、（ｂ）は、この発明の実施の形態３による盤取付用機器の盤取付後の一部断面正面図である。
【図６】（ａ）は，この発明の実施の形態４による盤取付用機器の盤取付前の一部断面正面図、（ｂ）は、この発明の実施の形態４による盤取付用機器の盤取付後の一部断面正面図である。
【符号の説明】
１  盤取付用機器、３  盤、３ａ  嵌挿孔、４  筐体、４ａ  レバー（応動部材）、
５  外部電源、７  主回路、７ａ  メモリ（記憶手段）、
８  電池、９，９０，９１  開閉手段、１２  自己保持スイッチ、
１３  レバーロック（ロック部材）、１４  自己復帰スイッチ、
１５  オルタネイトスイッチ。
【図１】
2004171985.tif 000003
【図２】
2004171985.tif 000004
【図３】
2004171985.tif 000005
【図４】
2004171985.tif 000006
【図５】
2004171985.tif 000007
【図６】
2004171985.tif 000008